(57)【要約】【課題】自転車の補助席に乗った子供や、車椅子で生活する人が、雨や冷気から下肢部全体を簡単に保護でき、且つ自由に動いてもズレない防寒具のデザインを提供すること。【解決手段】軽量さと携帯時の負担をなくすため、１枚の生地から平面裁断する。１Ａと１ａ、２Ａと２ａ、２Ｂと２ｂを止めて固定できるように、マジックテープを配置する。１は腹部の固定部分、２は左右下肢固定部分である。腹部はマジックテープをずらすことで、また布の大きさを変えることで、サイズを変更する。座位での着用と下肢の自由な動きを可能にするため、股間部と臀部を開けたデザインを特徴とした。【選択図】図２
0003110070.tif 000002
【実用新案登録請求の範囲】
【請求項１】
下半身の動きを制限せずに腹部及び下肢を冷気や雨から保護でき、かつ腹部で固定することで移動中も安定できるデザインと、簡易携帯を可能にする、１枚の生地で製作可能な平面裁断のデザイン、着脱が簡単でサイズ調節が可能なマジックテープを使用する形状を備えたズボン。
【考案の詳細な説明】
【技術分野】
【０００１】  本考案は、車椅子で生活する者や子供に座位のまま着脱させられ、安定した状態かつ動きを制限しない状態で下肢を冷気や雨から守る防寒ズボンに関する。
【考案の開示】
【考案が解決しようとする課題】
【０００２】  従来、子供を自転車の補助席に乗せて移動する場合、また車椅子で生活している人の場合、簡単自在に温度調節できる衣類が存在しない。そのため、雨天時や気温の低い場所ではタオルやビニール、膝掛けなどをかけて対処してきた。しかしながら、固定ができないため移動している間にズレが生じたり、ズレを防ぐために体に巻き付けることで動きに支障がでるといった不便や、表面しか覆えないため後側の保護が困難といった問題がある。【０００３】  本考案は、子供及び要介護の人のケアに対応できるよう、以下の課題を解決できるデザインを考案したものである。１．手軽であること２．着脱が簡単であること３．安全であること４．保温性があること５．装着しても下肢の動きを制限しないこと６．携帯しやすい大きさであること７．保護したい部分からズレが生じないように固定できること８．靴をはいたままでも使用できること９．本考案のズボンを着用したままでも、オムツ交換ができること
【課題を解決するための手段】
【０００４】  以上の課題を解決するため、下半身の動きを制限せずに腹部及び下肢を冷気や雨から保護でき、かつ腹部で固定することで移動中も安定できるデザインと、簡易携帯を可能にする、１枚の生地で製作可能な平面裁断のデザイン、着脱が簡単でサイズ調節が可能なマジックテープを使用する形状を考案した。
【考案の効果】
【０００５】  本考案を使用することで以下の効果が得られる。１．使用季節を選ばず、冷気から下肢を保護することができる２．対象年令を選ばず、子供から大人まで使用することができる３．腰から固定するので腹部から足まで保護できる４．ウエストサイズが調節できるので、細かいサイズ設定の必要がない５．寝た状態でも、座った状態でも着脱が短時間で簡単にできる６．臀部が開いているので、座るとき制限されることがない７．下肢の下方が閉じていないので、動きやすい８．足を通さずに装着するので、靴をはいたまま使用できる９．ウエストで固定したままオムツ交換ができる１０．マジックテープを止め具に使用し、素肌に当たる部分は布地なので、椅子などに密着する部分の刺激や、素材自体の刺激がなく安全である１１．広げると一枚の生地になるので、軽量かつコンパクトに携帯できる
【考案実施するための最良の形態】
【０００６】  以下図面を参照しつつ、実施形態を説明する。材質は防水加工された綿キルティングを使用し、周囲は角を鈍くしバイヤステープで処理する。固定用のマジックテープも角を鈍くしておく。本考案の材質については、同様の効果がある代用品を利用することも可能である。
【０００７】  図１は着衣の上から本考案を装着した図である。腹部と下肢部の後ろをマジックテープで固定。股間部と臀部が開いているため、下肢を自由に動かすことが可能である。
【０００８】  図２は本考案の平面図である。１Ａと１ａ、２Ａと２ａ、２Ｂと２ｂを止めて固定できるように、マジックテープを配置する。１は腹部の固定部分、２は左右下肢固定部分である。  図３は本考案を装着時の状態にした立体図である。腹部はマジックテープをずらすことで、また布の大きさを変えることで、サイズを変更することができる。
【図面の簡単な説明】
【０００９】
【図１】本考案の実施形態を示すズボンの装着図（正面・側面）である。
【図２】同平面図（表・裏）である。
【図３】同立体図（前・後・横）である。
【図１】
0003110070.tif 000003
【図２】
0003110070.tif 000004
【図３】
0003110070.tif 000005
【手続補正書】
【提出日】平成16年10月21日(2004.10.21)
【手続補正１】
【補正対象書類名】実用新案登録請求の範囲
【補正対象項目名】全文
【補正方法】変更
【補正の内容】
【実用新案登録請求の範囲】
【請求項１】
１、１枚の大きな布地を腹部で固定する胴囲の部と腹部から両下肢を覆う部を裁断し加工する。
２、胴囲後面打ち合わせ部に面ファスナーを配置する。
３、両下肢部股下打ち合わせ部に面ファスナーを配置する。
４、切断面をバイヤス地を利用し処理する。
胴囲と股下の打ち合わせ部を面ファスナーでとめることにより腹部と下肢を覆い股間と臀部を開放した防寒ズボン
【手続補正２】
【補正対象書類名】明細書
【補正対象項目名】全文
【補正方法】変更
【補正の内容】
【考案の詳細な説明】
【技術分野】
【０００１】本考案は、車椅子で生活する者や子供に座位のまま着脱させられ、安定した状態かつ動きを制限しない状態で下肢を冷気や雨から守る防寒ズボンに関する。
【考案の開示】
【考案が解決しようとする課題】
【０００２】従来、子供を自転車の補助席に乗せて移動する場合、また車椅子で生活している人の場合、簡単自在に温度調節できる衣類が存在しない。そのため、雨天時や気温の低い場所ではタオルやビニール、膝掛けなどをかけて対処してきた。しかしながら、固定ができないため移動している間にズレが生じたり、ズレを防ぐために体に巻き付けることで動きに支障がでるといった不便や、表面しか覆えないため後側の保護が困難といった問題がある。【０００３】本考案は、子供及び車椅子で生活する者の防寒に対応できるよう、以下の課題を解決できるデザインを考案したものである。
１．タオルや膝掛けなどで覆うが表面だけで下肢の裏側が寒い
２．タオルと膝掛けでは固定できないので身体に巻き付けるので動きが制限される
３．椅子と身体に挟み込むがずり落ちる
４．掛け物の端が車輪に巻き込まれて危険がある
５．温度差や急な悪天候を予測して持ち歩かなければいけない
【課題を解決するための手段】
【０００４】１．防寒ズボンは下半身を覆いずり落ちないよう胴囲の打ち合わせ部分に面ファスナーを使用する
２．両下肢部の着脱が簡単にできるように面ファスナーを使用する
３．覆っても下肢が動かせるように股間部と臀部を解放したズボン形にする
４．保温性と下肢など素肌に当たる部位でありキルティング等の布地を使用する
５．持ち運びにコンパクトにたためるよう１枚の布地とする
【考案の効果】
【０００５】  本考案を使用することで以下の効果が得られる。
１．使用季節を選ばず、冷気から下肢を保護することができる
２．対象年令を選ばず、子供から大人まで使用することができる
３．腰から固定するので腹部から足まで保護できる
４．ウエストサイズが調節できるので、細かいサイズ設定の必要がない
５．寝た状態でも、座った状態でも着脱が短時間で簡単にできる
６．股間部と臀部が開いているので、座るとき動きに制限されることがない
７．下肢の下方が閉じていないので、動きやすく制限されない
８．足を通さずに装着するので、靴をはいたまま使用できる
９．ウエストで固定したままオムツ交換ができる
１０．面ファスナーを止め具に使用し、素肌に当たる部分は布地なので、椅子などに密着する部分の刺激や、素材自体の刺激がなく安全である
１１．広げると一枚の生地になるので、軽量かつコンパクトに携帯でき手軽である
【考案実施するための最良の形態】
【０００６】
【図面の簡単な説明】
【０００７】
【図１】は防寒ズボンを着衣の上から装着した状態である。１の中心部を腹部にあて背部の打ち合わせ部の面ファスナーで固定、下肢部は打ち合わせ部の面ファスナーで固定する。するとズボン型になる。股間部と臀部の開放部があるので下肢の動きが可能
【図２】は平面図の表（上段）裏（中段）である。１は腹部を覆う部分で中央が正面である。１Ａと１ａは打ち合わせ部で１Ａ’と１ａ’に面ファスナーを配置する。胴囲をゆったり調節するため１Ａ’面ファスナーは長めに配置する。２は両下肢（股間節から足首まで）を覆う面である。周囲はバイヤステープを使い角を丸くする
【図３】は立体図である。各打ち合わせ部を面ファスナーで固定した状態を前面（上段）後面（中段）側面（下段）から見た状態である  布の大きさを考える事や面ファスナーの大きさや位置をずらす事により大小変更する事ができる
【符号の説明】
【０００８】１  腹部（前面）
１Ａと１ａ  打ち合わせ部（後面）
１Ａ’と１ａ’  面ファスナー配置部
２  両下肢（股関節〜足首）
２Ａと２ａ  打ち合わせ部（右股下）
２Ａ’と２ａ’  面ファスナー配置部
２Ｂと２ｂ  打ち合わせ部（左股下）
２Ｂ’と２ｂ’  面ファスナー配置部
胴囲（胴周囲の長さ）
開放部（布地切除部）
【手続補正３】
【補正対象書類名】図面
【補正対象項目名】全図
【補正方法】変更
【補正の内容】
【図１】
0003110070.tif 000006
【図２】
0003110070.tif 000007
【図３】
0003110070.tif 000008
【手続補正書】
【提出日】平成17年2月4日(2005.2.4)
【手続補正１】
【補正対象書類名】実用新案登録請求の範囲
【補正対象項目名】全文
【補正方法】変更
【補正の内容】
【実用新案登録請求の範囲】
【請求項１】
（１）１枚の大きな布地を腹部で固定する胴囲の部と腹部から両下肢を覆う部を裁断し加工する。
（２）胴囲後面打ち合わせ部に面ファスナーを配置する。
（３）両下肢部股下打ち合わせ部に面ファスナーを配置する。
（４）切断面をバイヤス地を利用し処理する。
以上の構成からなる、胴囲と股下の打ち合わせ部を面ファスナーでとめることにより腹部と下肢を覆い股間と臀部を開放した防寒ズボン